(57)【要約】本発明は、着用時に垂れた尻を上方向に持ち上げて着用感を向上させるだけでなく、優れた美的スタイルを提供するズボンに関するものであり、前側生地パネルと後側生地パネルが一緒に縫製されるズボンにおいて、前記後側生地パネルの上部の外側両端に伸縮性ある材料からなる第１羽の一側が、長さ方向に縫製され、前記第１羽が縫製された部位に、前記第１羽とは独立的に第２羽の一側が、長さ方向に縫製され、前記第１羽の他側は、前記前側生地パネルのジッパー縫い目線に沿って縫製され、前記第２羽の他側は、前記前側生地パネルの最上部の両側端部に結合されたバンドの一端に縫製されるものである。
2008527193.tif 000002
【特許請求の範囲】
【請求項１】
前側生地パネルと、
前側生地パネルと縫い合わされる後側生地パネルと、
伸縮性ある材料からなる第１羽のペアであって、当該第１羽のそれぞれの一方の側が後側生地パネルの上部の外側の縁にそれぞれ縦方向に縫い合わされ、当該第１羽のそれぞれの他方の側が前側生地パネルにジッパー縫い目線に沿って縫い合わされる第１羽のペアと、
第２羽のペアであって、当該第２羽のそれぞれの一方の側が、第１羽とは独立に、第１羽のそれぞれの一方の側が縫い合わされている後側生地パネルの位置で後側生地パネルに縫い合わされ、当該第２羽のそれぞれの他方の側が、前記前側生地パネルの最上部の両側端部に縫い付けられたバンドの両端にそれぞれ縫い合わされる第２羽のペアと
からなるズボン。
【請求項２】
前記第１羽の一方の側の長さが、該当第１羽の他方の側の長さより長いことを特徴とする請求項１に記載のズボン。
【請求項３】
前記第２羽の一方の側の長さが、該当第２羽の他方の側の長さより長いことを特徴とする請求項１に記載のズボン。
【請求項４】
前記第２羽の一方の側の長さは、前記第１羽の一方の側の長さと同様であるか、短いことを特徴とする請求項１に記載のズボン。
【発明の詳細な説明】
【技術分野】
【０００１】
本発明は、ズボン（pants）に関するものであり、さらに詳細にはズボンを着用すると、臀部を持ち上げることができるズボンに関するものである。
【背景技術】
【０００２】
ズボンは、身体のうち多様な運動姿勢が可能であり、運動量が多い下肢を覆う衣類であるという点で、 シャツの袖とともに、構成上の技術が注目される衣類の一つである。
【０００３】
特に、最近には機能性を強化したズボンが多様な形態で市販されている。また、ズボンを着用した時、楽な着用感や優れた美的スタイルを提供するために、さまざまな形で製作されたズボンが市販されている。
【発明の開示】
【発明が解決しようとする課題】
【０００４】
ところが、ズボンを着用すると、垂れた尻によって後ろ姿があまり美しくないので、粋に見えたい使用者は、これを解決するためにさまざまな方法を講ずる。
【０００５】
本発明は、前記の従来のこのような点に鑑みてなされたものであり、着用時に垂れた尻を上方向に持ち上げ、着用感を向上させるだけでなく、優れた美的スタイルを提供することをその課題とする。
【課題を解決するための手段】
【０００６】
前記のような目的を達成するために、本発明の好ましい実施例によるズボン（pants）は、前側生地パネル（front fabric panel）と後側生地パネル（rear fabric panel）とが縫い合わされてなるズボンにおいて、前記後側生地パネルの上部の外側両端に伸縮性ある材料からなる両方の第１羽（first wing）の一方の側が、長さ方向に縫製され、前記第１羽が縫製された部位に、前記第１羽とは独立的に両方の第２羽（second wing）の一方の側が長さ方向に縫製され、前記第１羽の他方の側は、前記前側生地パネルのジッパー縫い目線に沿って縫製され、前記第２羽の他方の側は、前記前側生地パネルの最上部の両側端部に縫い合わされたバンドに縫製されることを特徴とする。
【０００７】
好ましくは、前記第１羽の一方の側の長さが、該当第１羽の他方の側の長さより長く、前記第２羽の一方の側の長さが該当第２羽の他方の側の長さより長い。
【発明の効果】
【０００８】
本発明によれば、前側生地パネルと後側生地パネルを一緒に縫製し、後側生地パネルの上部の両側部に相互独立的に縫製された二つの羽をそれぞれ適切に、前側生地パネルのジッパー縫い目線および前側生地パネルの最上部の両側端部にそれぞれ縫製することによって、完成されたズボンを着用すると、臀部を自然に引っ張って、垂れた尻を所定の値に持ち上げるので、ボリュームのある尻に見えるようにする。
【０００９】
そして、ズボン着用時の着用感を向上させるだけでなく、優れた美的スタイルを提供するので、自信に満ちた活動をすることができる。
【発明を実施するための最良の形態】
【００１０】
以下、添付された図面を参照して本発明の実施例によるズボンに対して説明すれば、次のようである。
【００１１】
図１は、本発明の実施例によるズボンの構成を示した図面で、図２は、図１の前側生地パネルと後側生地パネルが結合された斜視図であり、図３は、図２の平面図である。
【００１２】
本発明の実施例によるズボンは、所定形状に裁断された前側生地パネル（１００）と後側生地パネル（２００）が、一緒に縫製されるズボンであり、前記後側生地パネル（２００）の上部（すなわち、臀部部分）外側両端に、第１羽（３０、３４）の一方の側が、長さ方向に縫製され、前記第１羽（３０、３４）が縫製された部位に、前記第１羽（３０、３４）とは独立的に第２羽（３８、４２）の一方の側が長さ方向に縫製される。
【００１３】
そして、前記第１羽（３０、３４）の他方の側は、前記前側生地パネル（１００）のジッパー縫い目線（１０、１２）を沿って縫製され、前記第２羽（３８、４２）の他方の側は、前記前側生地パネル（１００）の最上部の両側端部で対応する部位に縫製される。
【００１４】
さらに詳細には、前記第１羽（３０、３４）および第２羽（３８、４２）は、テーパされた形状として、前記第１羽（３０、３４）の一方側の長さが、該当の第１羽（３０、３４）の他方の側の長さより長く、前記第２羽（３８、４２）の一方の側の長さが、該当の第２羽（３８、４２）の他方の側の長さより長い。
【００１５】
そして、前記第１羽（３０、３４）は、バンドのように伸縮性の材料（elastic material）から構成される。
【００１６】
前記第１羽（３０、３４）の一方の側の長さは、前記後側生地パネル（２００）で臀部が位置する部分のすぐ下部分までにする。前記第２羽（３８、４２）の一方の側の長さは、前記第１羽（３０、３４）の一方の側の長さと同様であるか、やや短くてもよい。前記後側生地パネル（２００）に縫製された第２羽（３８、４２）は、前記第１羽（３０、３４）の後側に縫製される。
【００１７】
一方、前記第２羽（３８、４２）は生地（fabric）からなり、前記第２羽（３８、４２）の他方の側は、前記前側生地パネル（１００）の最上部の両側端部に結合された伸縮性あるバンド（１４、１６）に縫製される。
【００１８】
前記のように構成された本発明のズボンは、ズボン生地を前側生地パネル（１００）と後側生地パネル（２００）に裁断した後、両側の縫い目線を対応させて一緒に縫製する。すなわち、前側生地パネル（１００）の内側縫い目線（２０）と、後側生地パネル（２００）の内側縫い目線（４８）を相互対応させて返し縫いをし、前側生地パネル（１００）の外側縫い目線（１８）と、後側生地パネル（２００）の外側縫い目線（４６）を相互対応させて返し縫いをして一緒に縫製する。
【００１９】
その次に、その後側生地パネル（２００）の第１羽（３０、３４）を、前側生地パネル（１００）のジッパー縫い目線（１０、１２）に縫製する。すなわち、前記第１羽（３０）の他方の側（３２）を、前記ジッパー縫い目線（１２）に沿って縦に縫製し、前記第１羽（３４）の他方の側（３６）を、前記ジッパー縫い目線（１０）に沿って縦に縫製する。
【００２０】
その次に、前記後側生地パネル（２００）の第２羽（３８、４２）を前側生地パネル（１００）のバンド（１４、１６）に縫製する。すなわち、前記第２羽（３８）の他方の側（４０）と、前記バンド（１６）の外側端部（１６a）が結合されるように返し縫いをして、前記第２羽（４２）の他方の側（４４）と、前記バンド（１４）の外側端部（１４a）が結合されるように返し縫いをする。
【００２１】
このような作業手順を経ると、最終的に図２のような一緒に縫製されたズボンが完成される。
【００２２】
このように完成されたズボンは、後側生地パネル（２００）の伸縮性ある第１羽（３０、３４）の他側が、前側生地パネル（１００）のジッパー縫い目線（１０、１２）にそれぞれ縫製されているので、使用者がその完成されたズボンを着用すると、図４のように臀部を自然に前方へやや上方に引っ張って、垂れた尻を所定の値に上げるので、ボリュームのある尻に見えるようにする。そして、第１羽（３０、３４）の他方の側が、前側生地パネル（１００）のジッパー縫い目線（１０、１２）にそれぞれ縫製されているので、第１羽（３０、３４）の一方の側が縫製されている前記後側生地パネル（２００）の該当部位が、前側生地パネル（１００）の方へある程度引っぱられてシワができるが、これは第２羽（３８、４２）によって解決される。すなわち、その後側生地パネル（２００）の第２羽（３８、４２）の他側が、前側生地パネル（１００）のバンド（１４、１６）に縫製されているので、その第２羽（３８、４２）が、前側生地パネル（１００）の最上部の両側端部を引っ張るようになってシワができることを除去する。
【００２３】
上述した本発明の実施例の説明では、先ず、前側生地パネル（１００）と後側生地パネル（２００）を縫い目線（１８、２０、４６、４８）に沿って、一緒に縫製した後、後側生地パネル（２００）の第１および第２羽（３０、３４、３８、４２）を、前側生地パネル（１００）にそれぞれ縫製することで説明したが、後側生地パネル（２００）の第１および第２羽（３０、３４、３８、４２）を、前側生地パネル（１００）にそれぞれ縫製した後、前側生地パネル（１００）と後側生地パネル（２００）を縫い目線に沿って一緒に縫製してもよい。
【００２４】
一方、本発明は、上述した実施例に限定するものではなく、本発明の技術的精神および範囲から逸脱することなく、本発明を様々に変形または変更して実施することが可能なのは明らかなことである。よって、本発明の特許請求の範囲に属するものと理解すべきである。
【図面の簡単な説明】
【００２５】
【図１】本発明の実施例によるズボンの構成を示した図面。
【図２】図１の前側生地パネルと後側生地パネルが結合された斜視図。
【図３】図２の平面図。
【図４】本発明の使用状態図。
【図２】
2008527193.tif 000003
【図３】
2008527193.tif 000004
【図４】
2008527193.tif 000005
【図１】
2008527193.tif 000006
【国際調査報告】
2008527193.tif 000007